(57)【要約】【課題】片方の腕のみをどうにか動かせる人が、トイレットペーパーを束ねる作業を簡単に行なえるようにしたトイレットペーパー束ね用補助具を提供する。【解決手段】揺動アーム３２を前方に倒してペーパー巻回用部材２２を使用位置にする。ロール体ＲからトイレットペーパーＰの先部を持って引き出し、ペーパー巻回用部材２２に掛けまわす。次に、ペーパーＰの先部が、ロール体Ｒから引き出されたペーパーＰの中間箇所に位置するようにさらに引き出す。次に、ペーパーＰの先部を、ロール体Ｒから引き出されたペーパーＰの中間箇所に重ね、この重ねた部分を持ってさらにペーパーＰを引き出し、ペーパー巻回用部材２２に掛けまわす。このようにして所望の枚数のペーパーＰが束ねられた状態となったならば、重ねた部分を持って、ロール体Ｒから引き出されたペーパーＰを紙押え１６により破断する。【選択図】        図３
2004209164.tif 000002
【特許請求の範囲】
【請求項１】
トイレットペーパーがロール状に巻回されたロール体を支持する支持具と、前記支持具により支持されたロール体の上面に被せられる紙押えとを有するトイレットペーパー装着具に用いられるトイレットペーパー束ね用補助具であって、
前記トイレットペーパー束ね用補助具はペーパー巻回用部材と移動機構と保持手段とを備え、
前記ペーパー巻回用部材はトイレットペーパーを巻回できる形状で形成され、前記移動機構は、前記ペーパー巻回用部材を支持し、該ペーパー巻回用部材を前記ロール体の前方に臨む使用位置と、前記ロール体の前方から退避させた退避位置とに該ペーパー巻回用部材を移動させるように構成され、
前記保持手段は、前記使用位置になった前記ペーパー巻回用部材にロール体のトイレットペーパーを巻回させて該トイレットペーパーを引き出す際に、前記ペーパー巻回用部材が前記使用位置に維持される程度の力で前記移動機構を保持するように構成されている、
ことを特徴とするトイレットペーパー束ね用補助具。
【請求項２】
前記移動機構は、その先部で前記ペーパー巻回用部材を支持すると共に、その基部が、トイレットペーパー装着具に、または、該トイレットペーパー装着具が設置される近傍の箇所に設置されることを特徴とする請求項１記載のトイレットペーパー束ね用補助具。
【請求項３】
前記保持手段は、片手により簡単に前記使用位置へ移動させることができる程度の力でペーパー巻回用部材が前記退避位置に維持されるように前記移動機構を保持するように構成されていることを特徴とする請求項１記載のトイレットペーパー束ね用補助具。
【請求項４】
前記移動機構は、前記トイレットペーパー装着具に、または、前記トイレットペーパー装着具が設置される近傍の箇所に揺動可能に設置された揺動アームで構成され、前記揺動アームは、揺動することで前記ペーパー巻回用部材を前記退避位置と前記使用位置とに移動させるように構成されていることを特徴とする請求項１記載のトイレットペーパー束ね用補助具。
【請求項５】
前記移動機構は、前記トイレットペーパー装着具に、または、前記トイレットペーパー装着具が設置される近傍の箇所に揺動可能に設置され折曲可能に連結された複数のアームからなり、これらアームが折曲した状態で前記ペーパー巻回用部材が前記退避位置となり、それらアームが延びた状態で前記ペーパー巻回用部材が前記使用位置となるように構成されていることを特徴とする請求項１記載のトイレットペーパー束ね用補助具。
【請求項６】
前記移動機構は、前記トイレットペーパー装着具に、または、前記トイレットペーパー装着具が設置される近傍の箇所に設置された伸縮アームからなり、前記伸縮アームは、縮小した状態で前記ペーパー巻回用部材が前記退避位置となり、伸張した状態で前記ペーパー巻回用部材が前記使用位置となるように構成されていることを特徴とする請求項１記載のトイレットペーパー束ね用補助具。
【発明の詳細な説明】
【０００１】
【発明の属する技術分野】
本発明は片腕しか使えない人のためのトイレットペーパー束ね用補助具に関する。
【０００２】
【従来の技術】
昨今の急速に進む高齢化に伴い、脳血管障害などに起因して上肢の機能低下を来している人が急増している。
そして、このような人の中には、片方の腕を全く動かせず、残りの片方の腕のみをどうにか動かせる人が大勢いる。
一方、用便の際にトイレットペーパーで臀部を拭き取る場合、トイレットペーパーは束ねて使われる。
【０００３】
【発明が解決しようとする課題】
しかしながら、片方の腕のみをどうにか動かせる人にとっては、トイレットペーパーを束ねる作業は困難な作業となる。
本発明は前記事情に鑑み案出されたものであって、本発明の目的は、片方の腕のみをどうにか動かせる人が、トイレットペーパーを束ねる作業を簡単に行なえるようにしたトイレットペーパー束ね用補助具を提供することにある。
【０００４】
【課題を解決するための手段】
本発明は、前記目的を達成するため、トイレットペーパーがロール状に巻回されたロール体を支持する支持具と、前記支持具により支持されたロール体の上面に被せられる紙押えとを有するトイレットペーパー装着具に用いられるトイレットペーパー束ね用補助具であって、前記トイレットペーパー束ね用補助具はペーパー巻回用部材と移動機構と保持手段とを備え、前記ペーパー巻回用部材はトイレットペーパーを巻回できる形状で形成され、前記移動機構は、前記ペーパー巻回用部材を支持し、該ペーパー巻回用部材を前記ロール体の前方に臨む使用位置と、前記ロール体の前方から退避させた退避位置とに該ペーパー巻回用部材を移動させるように構成され、前記保持手段は、前記使用位置になった前記ペーパー巻回用部材にロール体のトイレットペーパーを巻回させて該トイレットペーパーを引き出す際に、前記ペーパー巻回用部材が前記使用位置に維持される程度の力で前記移動機構を保持するように構成されていることを特徴とする。
【０００５】
本発明では、ペーパー巻回用部材を使用位置とし、このペーパー巻回用部材にトイレットペーパーを掛けまわすことで、トイレットペーパーが束ねられる。
【０００６】
【発明の実施の形態】
以下、本発明によるトイレットペーパー束ね用補助具の実施の形態を図面に基づいて詳細に説明する。
まず、第１の実施の形態から説明する。
図１はトイレットペーパー装着具およびトイレットペーパー束ね用補助具の正面図、図２は同側面図を示す。
トイレットペーパー束ね用補助具２０は、トイレットペーパー装着具１２に用いられるものであり、トイレットペーパー装着具１２は、トイレットペーパーＰがロール状に巻回されたロール体Ｒを支持する支持具１４と、支持具１４により支持されロール体Ｒの上面に被せられる紙押え１６とを備えている。
前記トイレットペーパー束ね用補助具２０は、ペーパー巻回用部材２２と移動機構２４と保持手段２６とを備え、本実施の形態では、左手用と右手用としてそれぞれペーパー巻回用部材２２と移動機構２４と保持手段２６とが２つずつ設けられている。
【０００７】
前記ペーパー巻回用部材２２はトイレットペーパーＰを巻回できる形状で形成されており、本実施の形態では、ロッド２２０２と、このロッド２２０２に回転可能に装着された円筒状のローラ２２０４とで構成されている。
【０００８】
前記移動機構２４は、前記ペーパー巻回用部材２２を支持し、該ペーパー巻回用部材２２を前記紙押え１６の上方または下方に退避した退避位置と、前記ロール体Ｒの前方に臨みロール体Ｒの軸心に対してほぼ平行にペーパー巻回用部材２２が延在する使用位置とにペーパー巻回用部材２２を移動させるように構成されている。
本実施の形態では、前記移動機構２４は揺動アーム３２を含んで構成され、前記ペーパー巻回用部材２２は揺動アーム３２の先部で支持され、揺動アーム３２の基部は軸受部３４により揺動可能に支持されている。
前記各揺動アーム３２の軸受部３４は、トイレットペーパー装着具１２の下方の壁Ｗに取着された取付板３６の両側に夫々設けられ、各揺動アーム３２はトイレットペーパー装着具１２の左右側部に位置している。
【０００９】
前記保持手段２６は、前記軸受部３４に組み込まれたクリック機構と、軸受部３４の側部に立設された第１、第２ストッパ３８Ａ、３８Ｂにより構成されている。
前記クリック機構は、例えば、揺動アーム３２が軸受部３４に挿入される軸部分に周方向にほぼ９０度の間隔をおいて形成された２つの係合凹部と、軸受部３４にコイルスプリングにより付勢されて組み込まれた剛球とから構成されている。
そして、前記保持手段２６は、揺動アーム３２が起立してペーパー巻回用部材２２が退避位置に位置した状態で、揺動アーム３２の基部に第１ストッパ３８Ａが当接すると共に、前記剛球が一方の前記係合凹部に係合し、片手により簡単に使用位置へ移動させることができる程度の力でペーパー巻回用部材２２が退避位置にとどまるように揺動アーム３２を保持するように構成されている。
また、保持手段２６は、揺動アーム３２が前方に倒れてペーパー巻回用部材２２が使用位置に位置した状態で、揺動アーム３２の基部に第２ストッパ３８Ｂが当接すると共に、前記剛球が他方の前記係合凹部に係合し、使用位置になったペーパー巻回用部材２２にロール体ＲのトイレットペーパーＰを巻回させて該トイレットペーパーＰを引き出す際にペーパー巻回用部材２２が使用位置に維持される程度の力で揺動アーム３２を保持するように構成されている。
【００１０】
次に、トイレットペーパー束ね用補助具２０の使用方法について、図３乃至図８を参照して説明する。
左手のみを動かせる人の場合から説明すると、まず、図３に斜視図で、図４に側面図で示すように、右側の揺動アーム３２を前方に倒してペーパー巻回用部材２２を使用位置にする。
次に、ロール体ＲからトイレットペーパーＰの先部を持って引き出し、ペーパー巻回用部材２２に掛けまわす。
次に、図５に示すように、トイレットペーパーＰの先部を持って、トイレットペーパーＰの先部が、ロール体Ｒから引き出されたトイレットペーパーＰの中間箇所に位置するようにさらに引き出す。
【００１１】
次に、図６に示すように、トイレットペーパーＰの先部を、ロール体Ｒから引き出されたトイレットペーパーＰの中間箇所に重ね、この重ねた部分を持ってさらにトイレットペーパーＰを引き出す。
次に、図７に示すように、前記重ねた部分をペーパー巻回用部材２２に掛けまわし、前記重ねた部分を、ロール体Ｒから引き出されたトイレットペーパーＰの中間箇所に位置するようにさらに引き出す。
この状態で、トイレットペーパーＰはペーパー巻回用部材２２に２回掛けまわされ、合計４枚のトイレットペーパーＰが束ねられた状態となる。なお、上述の動作を繰り返すことで、所望の枚数のトイレットペーパーＰが束ねられた状態となる。
次に、所望の枚数のトイレットペーパーＰが束ねられた状態となったならば、図８に示すように、前記重ねた部分を持って、ロール体Ｒから引き出されたトイレットペーパーＰを紙押え１６により破断する。これにより、束ねられた状態のトイレットペーパーＰが得られる。
なお、右手のみを動かせる人の場合には、左側の揺動アーム３２を使用位置にして上述と同様な動作を行う。
そして、束ねられたトイレットペーパーＰにより臀部を拭き取ったならば、ペーパー巻回用部材２２を揺動させ、退避位置に戻す。
【００１２】
したがって、本実施の形態のトイレットペーパー束ね用補助具２０によれば、片方の腕しか動かせない人であっても、トイレットペーパーを簡単に束ねることができるようになり、用便の際に極めて便利となる。
また、ペーパー巻回用部材２２を使用位置に固定式とせず、使用位置と退避位置との間で移動できるようにしたので、便座に座る際にトイレットペーパー束ね用補助具２０が邪魔になることもない。
また、邪魔になるなどの何ら不都合を生じることなく両手を動かせる人用の通常のトイレにトイレットペーパー束ね用補助具２０を設置することが可能となり、このようにすることで、通常のトイレが片方の腕しか動かせない人にも使用できるようになる。
【００１３】
なお、前記実施の形態では、前記保持手段２６をクリック機構を用いて構成した場合について説明したが、例えば、退避位置と使用位置との中間箇所を境として揺動アーム３２を退避位置方向へ、使用位置方向へ選択的に付勢するスプリングやリンク機構を用いて保持手段２６を構成するようにしてもよく、保持手段２６としては従来公知の様々な機構を用いることができる。
【００１４】
また、前記実施の形態では、移動機構２４を、揺動アーム３２を含んで構成した場合について説明したが、移動機構２４は、折曲可能な複数のアームで構成するようにしてもよい。
例えば、図９（Ａ）、（Ｂ）に示すように、移動機構２４を折曲可能な２つのアーム４２，４４で構成し、これらアーム４２，４４が折曲した状態で前記ペーパー巻回用部材２２が前記退避位置となり、それらアーム４２，４４が延びた状態で前記ペーパー巻回用部材２２が前記使用位置となるようにしてもよい。この場合、前記ペーパー巻回用部材２２を旋回可能に前記一方のアーム４４に連結し、他方のアーム４２を、トイレットペーパー装着具１２の下方の壁Ｗに取着された取付板３６に対してスライド可能に連結しておくと、１つのトイレットペーパー束ね用補助具２０を、右手用、また、左手用としての双方に使用できる。
【００１５】
また、移動機構２４を伸縮可能な伸縮アーム５２で構成するようにしてもよい。
例えば、図１０（Ａ）、（Ｂ）に示すように、移動機構２４を、３つの筒状部材５２Ａ、５２Ｂ、５２Ｃと、１つのロッド状部材５２Ｄからなる伸縮可能な伸縮アーム５２で構成し、伸縮アーム５２が縮小した状態で前記ペーパー巻回用部材２２が前記退避位置となり、伸縮アーム５２が伸張した状態で前記ペーパー巻回用部材２２が前記使用位置となるようにしてもよい。この場合、前記ペーパー巻回用部材２２を旋回可能に伸縮アーム５２に連結し、伸縮アーム５２の基部を、トイレットペーパー装着具１２の下方の壁Ｗに取着された取付板３６に対してスライド可能に連結しておくと、１つのトイレットペーパー束ね用補助具２０を、右手用、また、左手用としての双方に使用できる。
【００１６】
なお、前記実施の形態では、移動機構２４を、取付板３６を介して壁Ｗに取りつけた場合について説明したが、移動機構２４をトイレットペーパー装着具１２に取り付けるなど任意である。
また、ペーパー巻回用部材２２の退避位置は、ロール体Ｒの上方や下方に限らず、左右側方としてもよい。
【００１７】
【発明の効果】
以上説明したように本発明のトイレットペーパー束ね用補助具によれば、片方の腕のみをどうにか動かせる人でも、トイレットペーパーを束ねる作業を簡単に行なえる。
【図面の簡単な説明】
【図１】トイレットペーパー束ね用補助具の正面図である。
【図２】トイレットペーパー束ね用補助具の側面図である。
【図３】トイレットペーパー束ね用補助具の使用状態の斜視図である。
【図４】トイレットペーパー束ね用補助具の使用状態の側面図である。
【図５】トイレットペーパー束ね用補助具の使用状態の側面図である。
【図６】トイレットペーパー束ね用補助具の使用状態の側面図である。
【図７】トイレットペーパー束ね用補助具の使用状態の側面図である。
【図８】トイレットペーパー束ね用補助具の使用状態の側面図である。
【図９】別の例のトイレットペーパー束ね用補助具の使用状態の平面図である。
【図１０】別の例のトイレットペーパー束ね用補助具の使用状態の平面図である。
【符号の説明】
１２……トイレットペーパー装着具、２０……トイレットペーパー束ね用補助具、２２……ペーパー巻回用部材、２４……移動機構、２６……保持手段。
【図１】
2004209164.tif 000003
【図２】
2004209164.tif 000004
【図３】
2004209164.tif 000005
【図４】
2004209164.tif 000006
【図５】
2004209164.tif 000007
【図６】
2004209164.tif 000008
【図７】
2004209164.tif 000009
【図８】
2004209164.tif 000010
【図９】
2004209164.tif 000011
【図１０】
2004209164.tif 000012